(57)【要約】【課題】蓄積されている認識不能となった画像データに関する情報、つまり入力作業が必要な入力待ちジョブの残数を通知することが可能な蓄積分配装置を提供すること。【解決手段】蓄積分配装置は、紙葉類処理装置で文字情報の認識が不能となった画像データを含む入力ジョブデータを受信する受信手段と、前記受信手段を介して受信した入力ジョブデータを蓄積する蓄積手段と、文字情報の入力装置に対して前記蓄積手段に蓄積されている入力ジョブデータを分配する分配手段と、前記蓄積手段に蓄積されている入力ジョブデータの残数を管理する管理手段と、前記入力装置に対して前記管理手段により管理される入力ジョブデータの残数を通知する通知手段とを備えている。【選択図】      図１
2008090531.tif 000002
【特許請求の範囲】
【請求項１】
複数枚の紙葉類の表面の画像を順次読み取って、各画像データから各紙葉類の表面に記載されている文字情報を認識し、この認識結果に基づいて各紙葉類を処理する少なくとも１台の紙葉類処理装置と通信し、前記紙葉類処理装置で文字情報の認識が不能となった画像データを含む入力ジョブデータを受信する受信手段と、
前記受信手段を介して受信した入力ジョブデータを蓄積する蓄積手段と、
前記入力ジョブデータを受信し、この入力ジョブデータに含まれる画像データを表示し、この表示内容に基づく文字情報の入力を受け付け、受け付けた文字情報を含む入力済みデータを返信する少なくとも１台の入力装置に対して、前記蓄積手段に蓄積されている入力ジョブデータを分配する分配手段と、
前記入力装置から前記入力済みデータを受信し、前記紙葉類処理装置へ送信する転送手段と、
前記蓄積手段に蓄積されている入力ジョブデータの残数を管理する管理手段と、
前記入力装置に対して前記管理手段により管理される入力ジョブデータの残数を通知する通知手段と、
を備えたことを特徴とする蓄積分配装置。
【請求項２】
複数枚の紙葉類の表面の画像を順次読み取って、各画像データから各紙葉類の表面に記載されている文字情報を認識し、この認識結果に基づいて各紙葉類を処理する複数台の紙葉類処理装置と通信し、前記紙葉類処理装置で文字情報の認識が不能となった画像データを含む入力ジョブデータを受信する受信手段と、
前記受信手段を介して受信した入力ジョブデータを蓄積する蓄積手段と、
前記入力ジョブデータを受信し、この入力ジョブデータに含まれる画像データを表示し、この表示内容に基づく文字情報の入力を受け付け、受け付けた文字情報を含む入力済みデータを返信する複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記蓄積手段に蓄積されている入力ジョブデータの残数を管理する管理手段と、
前記複数台の入力装置に対して前記管理手段により管理される入力ジョブデータの残数を一斉に通知する通知手段と、
を備えたことを特徴とする蓄積分配装置。
【請求項３】
紙葉類識別情報により識別可能な複数枚の紙葉類の表面の画像を順次読み取って、各画像データから各紙葉類の表面に記載されている文字情報を認識し、この認識結果に基づいて各紙葉類を処理する複数台の紙葉類処理装置と通信し、前記紙葉類処理装置で文字情報の認識が不能となった画像データ及びこの画像データの読取先の紙葉類を識別する紙葉類識別情報を含む入力ジョブデータを受信する受信手段と、
前記受信手段を介して受信した入力ジョブデータを蓄積する蓄積手段と、
前記入力ジョブデータを受信し、この入力ジョブデータに含まれる画像データを表示し、この表示内容に基づく文字情報の入力を受け付け、前記入力ジョブデータに含まれていた紙葉類識別情報及び受け付けた文字情報を含む入力済みデータを返信する複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記蓄積手段に蓄積されている入力ジョブデータの残数を管理する管理手段と、
前記複数台の入力装置に対して前記管理手段により管理される入力ジョブデータの残数を一斉に通知する通知手段と、
を備えたことを特徴とする蓄積分配装置。
【請求項４】
紙葉類識別情報により識別可能な複数枚の紙葉類の表面の画像を順次読み取って、各画像データから各紙葉類の表面に記載されている文字情報を認識し、この認識結果に基づいて各紙葉類を処理する複数台の紙葉類処理装置と通信し、前記紙葉類処理装置で文字情報の認識が不能となった画像データ及びこの画像データの読取先の紙葉類を識別する紙葉類識別情報を含む入力ジョブデータを受信する受信手段と、
前記受信手段を介して受信した入力ジョブデータを蓄積する蓄積手段と、
前記入力ジョブデータを受信し、この入力ジョブデータに含まれる画像データを表示し、この表示内容に基づく文字情報の入力を受け付け、前記入力ジョブデータに含まれていた紙葉類識別情報及び受け付けた文字情報を含む入力済みデータを返信する複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記複数台の入力装置に対する入力ジョブデータの分配に応じて減少したり、前記紙葉類処理装置から送信される前記入力ジョブデータの受信に応じて増加したりする前記蓄積手段に蓄積されている入力ジョブデータの残数を管理する管理手段と、
前記複数台の入力装置に対して前記管理手段により管理される入力ジョブデータの残数を一斉に通知するとともに、前記管理手段により管理される入力ジョブデータの残数の減少又は増加に基づき更新された入力ジョブデータの残数を一斉に通知する通知手段と、
を備えたことを特徴とする蓄積分配装置。
【請求項５】
複数枚の紙葉類の表面の画像を順次読み取って、各画像データから各紙葉類の表面に記載されている文字情報を認識し、この認識結果に基づいて各紙葉類を処理する少なくとも１台の紙葉類処理装置と、
前記紙葉類処理装置で文字情報の認識が不能となった画像データを含む入力ジョブデータを受信し蓄積する蓄積分配装置と、
前記入力ジョブデータを受信し、この入力ジョブデータに含まれる画像データを表示し、この表示内容に基づく文字情報の入力を受け付け、受け付けた文字情報を含む入力済みデータを前記蓄積分配装置に対して返信する少なくとも１台の入力装置と、
を備えた紙葉類処理システムであって、
前記蓄積分配装置は、
前記紙葉類処理装置と通信し、入力ジョブデータを受信する受信手段と、
前記受信手段を介して受信した入力ジョブデータを蓄積する蓄積手段と、
前記蓄積手段に蓄積されている入力ジョブデータを分配する分配手段と、
前記入力装置から前記入力済みデータを受信し、前記紙葉類処理装置へ送信する転送手段と、
前記蓄積手段に蓄積されている入力ジョブデータの残数を管理する管理手段と、
前記入力装置に対して前記管理手段により管理される入力ジョブデータの残数を通知する通知手段と、
を備え、
前記入力装置は、
前記蓄積分配装置から通知される入力ジョブデータの残数を表示する表示手段を備えたことを特徴とする紙葉類処理システム。
【請求項６】
複数枚の紙葉類の表面の画像を順次読み取って、各画像データから各紙葉類の表面に記載されている文字情報を認識し、この認識結果に基づいて各紙葉類を処理する複数台の紙葉類処理装置と、
前記紙葉類処理装置で文字情報の認識が不能となった画像データを含む入力ジョブデータを受信し蓄積する蓄積分配装置と、
前記入力ジョブデータを受信し、この入力ジョブデータに含まれる画像データを表示し、この表示内容に基づく文字情報の入力を受け付け、受け付けた文字情報を含む入力済みデータを返信する複数台の入力装置と、
を備えた紙葉類処理システムであって、
前記蓄積分配装置は、
前記複数台の紙葉類処理装置と通信し、入力ジョブデータを受信する受信手段と、
前記受信手段を介して受信した入力ジョブデータを蓄積する蓄積手段と、
前記複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記蓄積手段に蓄積されている入力ジョブデータの残数を管理する管理手段と、
前記複数台の入力装置に対して前記管理手段により管理される入力ジョブデータの残数を一斉に通知する通知手段と、
を備え、
前記各入力装置は、
前記蓄積分配装置から通知される入力ジョブデータの残数を表示する表示手段を備えたことを特徴とする紙葉類処理システム。
【請求項７】
紙葉類識別情報により識別可能な複数枚の紙葉類の表面の画像を順次読み取って、各画像データから各紙葉類の表面に記載されている文字情報を認識し、この認識結果に基づいて各紙葉類を処理する複数台の紙葉類処理装置と、
前記紙葉類処理装置で文字情報の認識が不能となった画像データ及びこの画像データの読取先の紙葉類を識別する紙葉類識別情報を含む入力ジョブデータを受信し蓄積する蓄積分配装置と、
前記入力ジョブデータを受信し、この入力ジョブデータに含まれる画像データを表示し、この表示内容に基づく文字情報の入力を受け付け、前記入力ジョブデータに含まれていた紙葉類識別情報及び受け付けた文字情報を含む入力済みデータを返信する複数台の入力装置と、
を備えた紙葉類処理システムであって、
前記蓄積分配装置は、
前記複数台の紙葉類処理装置と通信し、入力ジョブデータを受信する受信手段と、
前記受信手段を介して受信した入力ジョブデータを蓄積する蓄積手段と、
前記複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記蓄積手段に蓄積されている入力ジョブデータの残数を管理する管理手段と、
前記複数台の入力装置に対して前記管理手段により管理される入力ジョブデータの残数を一斉に通知する通知手段と、
を備え、
前記各入力装置は、
前記蓄積分配装置から通知される入力ジョブデータの残数を表示する表示手段を備えたことを特徴とする紙葉類処理システム。
【請求項８】
紙葉類識別情報により識別可能な複数枚の紙葉類の表面の画像を順次読み取って、各画像データから各紙葉類の表面に記載されている文字情報を認識し、この認識結果に基づいて各紙葉類を処理する複数台の紙葉類処理装置と、
前記紙葉類処理装置で文字情報の認識が不能となった画像データ及びこの画像データの読取先の紙葉類を識別する紙葉類識別情報を含む入力ジョブデータを受信し蓄積する蓄積分配装置と、
前記入力ジョブデータを受信し、この入力ジョブデータに含まれる画像データを表示し、この表示内容に基づく文字情報の入力を受け付け、前記入力ジョブデータに含まれていた紙葉類識別情報及び受け付けた文字情報を含む入力済みデータを返信する複数台の入力装置と、
を備えた紙葉類処理システムであって、
前記蓄積分配装置は、
前記複数台の紙葉類処理装置と通信し、入力ジョブデータを受信する受信手段と、
前記受信手段を介して受信した入力ジョブデータを蓄積する蓄積手段と、
前記複数台の入力装置からの要求に対して、前記蓄積手段に蓄積されている入力ジョブデータを分配する分配手段と、
前記複数台の入力装置から前記入力済みデータを受信し、前記紙葉類処理装置へ送信する転送手段と、
前記複数台の入力装置に対する入力ジョブデータの分配に応じて減少したり、前記紙葉類処理装置から送信される前記入力ジョブデータの受信に応じて増加したりする前記蓄積手段に蓄積されている入力ジョブデータの残数を管理する管理手段と、
前記複数台の入力装置に対して前記管理手段により管理される入力ジョブデータの残数を一斉に通知するとともに、前記管理手段により管理される入力ジョブデータの残数の減少又は増加に基づき更新された入力ジョブデータの残数を一斉に通知する通知手段と、
を備え、
前記各入力装置は、
前記蓄積分配装置から通知される入力ジョブデータの残数を表示する表示手段を備えたことを特徴とする紙葉類処理システム。
【発明の詳細な説明】
【技術分野】
【０００１】
本発明は、複数枚の紙葉類の表面の画像を順次読み取って、各画像データから各紙葉類の表面に記載されている文字情報を認識し、この認識結果に基づいて各紙葉類を処理する少なくとも１台の紙葉類処理装置と通信し、この紙葉類処理装置で文字情報の認識が不能となった画像データを含む入力ジョブデータを受信し蓄積し、オペレータによる文字入力作業が可能な入力装置に対して、蓄積した入力ジョブデータを分配する蓄積分配装置に関する。また、本発明は、上記した紙葉類処理装置、蓄積分配装置、及び入力装置により構成される紙葉類処理システムに関する。
【背景技術】
【０００２】
従来、紙葉類処理装置として、複数枚の郵便物の表面の画像を順次読み取って、各画像データから郵便番号、宛先住所、宛名等の宛先情報を認識し、認識した宛先情報に基づいて当該郵便物を所定の区分ポケットへ区分集積する複数台の区分機と、各区分機で宛先情報が認識できなかった画像データを複数台の蓄積分配装置で蓄積し、蓄積した画像データを複数台のビデオコーディングデスク（ＶＣＤ）を介して読み出して表示し、各ＶＣＤを介して表示内容に基づくオペレータによる宛先情報の入力操作を受け付けるビデオコーディングシステム（ＶＣＳ）と、を備えた郵便物処理装置が知られている（特許文献１参照）。
【０００３】
この種の郵便物処理装置では、複数台の区分機でそれぞれ認識不能となった画像データを蓄積分配装置で蓄積し、蓄積分配装置で蓄積した画像データを複数台のＶＣＤを介して読み出して表示し、各ＶＣＤを介してオペレータが正しい宛先情報を入力し、入力した宛先情報を該当する区分機へ返送するようにしている。宛先情報が返送された区分機では、この宛先情報に基づいて当該郵便物を所定の区分ポケットへ区分集積する。
【特許文献１】特開２００２−５６３５３
【発明の開示】
【発明が解決しようとする課題】
【０００４】
しかしながら、各ＶＣＤでは、蓄積分配装置側の情報を知ることができなかった。例えば、各ＶＣＤでは、蓄積分配装置により蓄積されている認識不能となった画像データの残数、つまり処理待ちの残数を知ることはできなかった。このため、各ＶＣＤのオペレータは、宛先情報の入力処理に必要な残り時間等を予測することができないという問題があった。
【０００５】
本発明の目的は、上記課題を解決するためになされたものであり、蓄積されている認識不能となった画像データに関する情報、つまり入力作業が必要な入力待ちジョブの残数を通知することが可能な蓄積分配装置を提供することにある。
【０００６】
また、本発明の目的は、蓄積されている認識不能となった画像データに関する情報、つまり入力作業が必要な入力待ちジョブの残数を通知することが可能な蓄積分配装置、及びジョブ残数を表示することが可能な入力装置により構成される紙葉類処理システムを提供することにある。
【課題を解決するための手段】
【０００７】
この発明の蓄積分配装置及び紙葉類処理システムは、以下のように構成されている。
【０００８】
この発明の蓄積分配装置は、複数枚の紙葉類の表面の画像を順次読み取って、各画像データから各紙葉類の表面に記載されている文字情報を認識し、この認識結果に基づいて各紙葉類を処理する少なくとも１台の紙葉類処理装置と通信し、前記紙葉類処理装置で文字情報の認識が不能となった画像データを含む入力ジョブデータを受信する受信手段と、前記受信手段を介して受信した入力ジョブデータを蓄積する蓄積手段と、前記入力ジョブデータを受信し、この入力ジョブデータに含まれる画像データを表示し、この表示内容に基づく文字情報の入力を受け付け、受け付けた文字情報を含む入力済みデータを返信する少なくとも１台の入力装置に対して、前記蓄積手段に蓄積されている入力ジョブデータを分配する分配手段と、前記入力装置から前記入力済みデータを受信し、前記紙葉類処理装置へ送信する転送手段と、前記蓄積手段に蓄積されている入力ジョブデータの残数を管理する管理手段と、前記入力装置に対して前記管理手段により管理される入力ジョブデータの残数を通知する通知手段とを備えている。
【０００９】
この発明の紙葉類処理システムは、複数枚の紙葉類の表面の画像を順次読み取って、各画像データから各紙葉類の表面に記載されている文字情報を認識し、この認識結果に基づいて各紙葉類を処理する少なくとも１台の紙葉類処理装置と、前記紙葉類処理装置で文字情報の認識が不能となった画像データを含む入力ジョブデータを受信し蓄積する蓄積分配装置と、前記入力ジョブデータを受信し、この入力ジョブデータに含まれる画像データを表示し、この表示内容に基づく文字情報の入力を受け付け、受け付けた文字情報を含む入力済みデータを前記蓄積分配装置に対して返信する少なくとも１台の入力装置とを備えた紙葉類処理システムであって、
前記蓄積分配装置は、前記紙葉類処理装置と通信し、入力ジョブデータを受信する受信手段と、前記受信手段を介して受信した入力ジョブデータを蓄積する蓄積手段と、前記蓄積手段に蓄積されている入力ジョブデータを分配する分配手段と、前記入力装置から前記入力済みデータを受信し、前記紙葉類処理装置へ送信する転送手段と、前記蓄積手段に蓄積されている入力ジョブデータの残数を管理する管理手段と、前記入力装置に対して前記管理手段により管理される入力ジョブデータの残数を通知する通知手段とを備え、
前記入力装置は、前記蓄積分配装置から通知される入力ジョブデータの残数を表示する表示手段を備えている。
【００１０】
この発明の紙葉類処理システムは、紙葉類識別情報により識別可能な複数枚の紙葉類の表面の画像を順次読み取って、各画像データから各紙葉類の表面に記載されている文字情報を認識し、この認識結果に基づいて各紙葉類を処理する複数台の紙葉類処理装置と、前記紙葉類処理装置で文字情報の認識が不能となった画像データ及びこの画像データの読取先の紙葉類を識別する紙葉類識別情報を含む入力ジョブデータを受信し蓄積する蓄積分配装置と、前記入力ジョブデータを受信し、この入力ジョブデータに含まれる画像データを表示し、この表示内容に基づく文字情報の入力を受け付け、前記入力ジョブデータに含まれていた紙葉類識別情報及び受け付けた文字情報を含む入力済みデータを返信する複数台の入力装置とを備えた紙葉類処理システムであって、
前記蓄積分配装置は、前記複数台の紙葉類処理装置と通信し、入力ジョブデータを受信する受信手段と、前記受信手段を介して受信した入力ジョブデータを蓄積する蓄積手段と、前記複数台の入力装置からの要求に対して、前記蓄積手段に蓄積されている入力ジョブデータを分配する分配手段と、前記複数台の入力装置から前記入力済みデータを受信し、前記紙葉類処理装置へ送信する転送手段と、前記蓄積手段に蓄積されている入力ジョブデータの残数を管理する管理手段と、前記複数台の入力装置に対して前記管理手段により管理される入力ジョブデータの残数を一斉に通知する通知手段とを備え、
前記各入力装置は、前記蓄積分配装置から通知される入力ジョブデータの残数を表示する表示手段を備えている。
【発明の効果】
【００１１】
本発明によれば、蓄積されている認識不能となった画像データに関する情報、つまり入力作業が必要な入力待ちジョブの残数を通知することが可能な蓄積分配装置を提供できる。
【００１２】
また、本発明によれば、蓄積されている認識不能となった画像データに関する情報、つまり入力作業が必要な入力待ちジョブの残数を通知することが可能な蓄積分配装置、及びジョブ残数を表示することが可能な入力装置により構成される紙葉類処理システムを提供できる。
【発明を実施するための最良の形態】
【００１３】
以下、図面を参照し、本発明の実施形態について説明する。
【００１４】
図１は、この発明の実施の形態に係る郵便物区分システム１（紙葉類処理システム）（以下、単にシステム１と称する）の概略構成を示す図である。システム１は、複数台の区分機２（紙葉類処理装置）、およびビデオコーディングシステム（入力装置）（以下、単にＶＣＳと称する）３を備えている。
【００１５】
各区分機２は、オペレーションパネル２１、主制御ＰＣ２２、機構制御部２３、ＯＣＲユニット（以下、読取部と称する）２４を備えている。オペレーションパネル２１は、区分機２のオペレータからの各種入力を受け付ける。主制御ＰＣ２２は、オペレーションパネル２１で受け付けられた指示に基づき各種動作を間接的に制御する。より具体的には、機構制御部２３が、オペレーションパネル２１で受け付けられた指示に基づき各種動作を直接的に制御する。
【００１６】
機構制御部２３は、収容部、取り出し部、区分集積部を制御する。収容部は、紙葉類識別情報により識別可能な複数枚の郵便物（紙葉類）を収容する。取り出し部は、収容部が収容した郵便物を１枚ずつ取出す。読取部２４は、取り出し部が取出した各郵便物の表面の画像を順次読み取り、読み取った画像から郵便番号、宛先住所、宛名等の宛先情報（文字情報）を自動認識する。区分集積部は、読取部２４で認識した宛先情報に基づいて各郵便物を所定の区分ポケットへ区分集積する。或いは、区分集積部は、読取部２４で認識できなかった宛先情報の替わりに、後述するビデオコーディングディスクにおいて入力された宛先情報に基づいて各郵便物を所定の区分ポケットへ区分集積する。
【００１７】
さらに、各区分機２は、文字情報の認識が不能となった画像データ及びこの画像データの読取先の郵便物を識別する紙葉類識別情報（ＩＤ）を含む入力ジョブデータをＶＣＳ３へ送信する（図１の（１））。紙葉類識別情報は、例えばバーコードであり、郵便物に付与される。
【００１８】
ＶＣＳ３は、各区分機２に接続され、各区分機２と通信可能な蓄積分配装置３１を備えている。さらに、ＶＣＳ３は、蓄積分配装置３１に接続され、蓄積分配装置３１と通信可能な複数台のビデオコーディングディスク（入力装置）（以下、単にＶＣＤと称する）３２を備えている。
【００１９】
蓄積分配装置３１は、蓄積分配制御部３１１、通信部３１２、蓄積部３１３を備えている。通信部３１２は、各区分機２から送信される入力ジョブデータを受信する（図１の（１））。蓄積部３１３は、通信部３１２を介して受信した入力ジョブデータを蓄積する。蓄積分配制御部３１１は、複数台のＶＣＤ３２からの要求に対して、蓄積部３１３に蓄積されている入力ジョブデータを分配する（図１の（２））。つまり、蓄積分配装置３１は、区分機２で文字情報の認識が不能となった画像データを受信し蓄積し、ＶＣＤ３２に対して文字情報の認識が不能となった画像データを転送する。
【００２０】
一方のＶＣＤ３２は、入力表示制御部３２１、通信部３２２、記憶部３２３、入力受付部３２４、表示部３２５を備えている。各ＶＣＤ３２は、蓄積分配装置３１で蓄積されている画像データを順次読み出して画面に表示するとともに、オペレータによる正しい宛先情報の入力操作を受け付ける。つまり、入力表示制御部３２１及び通信部３２２は、蓄積分配装置３１に対して、入力ジョブデータを要求する。通信部３２２は、この入力ジョブデータの要求に対応して、蓄積分配装置３１から送信される入力ジョブデータを受信する（図１の（２））。記憶部３２３は、蓄積分配装置３１から送信され受信された入力ジョブデータを記憶する。表示部３２５は、入力ジョブデータに含まれる画像データを表示する。
【００２１】
図２に示すように、表示部３２５は、入力ジョブデータに含まれる画像データ、つまり郵便物の画像３２５ｂを表示するだけでもよいし、次のような表示方法を取ってもよい。例えば、表示部３２５の画面右側半分には、蓄積分配装置３１から先に読み出した郵便物の画像とともに郵便番号部分だけを拡大表示した画像を表示し、画面左側半分には、蓄積分配装置３１から次に読み出した郵便物の画像と郵便番号部分の拡大画像とを表示する。これら左右の画面は、宛先情報の入力処理が終了する度に次の画面に切換えられる。
【００２２】
ＶＣＤ３２のオペレータは、入力受付部３２４を介して、この画面の表示内容に基づいて、正しい宛先情報を入力する。入力受付部３２４は、例えばキーボードの入力機器である。このキーボードは、宛先情報の入力に特化したキーボードであってもよい。表示部３２５は、オペレータが現在入力している宛先情報３２５ｃを表示する。
【００２３】
入力表示制御部３２１及び通信部３２２は、蓄積分配装置３１に対して、受信した入力ジョブデータに含まれていた紙葉類識別情報及び入力受付部３２４により受け付けた宛先情報を含む入力済みデータを返信する（図１の（３））。
【００２４】
蓄積分配装置３１は、通信部３１２を介して、入力済みデータを受信する（図１の（３））。さらに、蓄積分配制御部３１１は、入力済みデータに含まれる紙葉類識別情報に基づき、所定の区分機１に対して入力済みデータを転送する（図１の（４））。区分機１の主制御ＰＣ２２は、受信した入力済みデータに含まれる紙葉類識別情報及び宛先情報に基づき、該当する郵便物の区分集積を制御する（図１の（５））。
【００２５】
また、蓄積分配制御部３１１は、各ＶＣＤ３２による処理状況を監視し、認識不能郵便物の未処理通数をリアルタイムで管理する。具体的には、蓄積分配制御部３１１は、各ＶＣＤ３２に対する入力ジョブデータの分配に応じて減少したり、区分機２から送信される入力ジョブデータの受信に応じて増加したりする入力ジョブデータ、つまり蓄積部３１３に蓄積されている入力ジョブデータの残数を管理する。
【００２６】
さらに、蓄積分配制御部３１１及び通信部３１２は、各ＶＣＤ３２に対して入力ジョブデータの残数を一斉に通知する。また、蓄積分配制御部３１１及び通信部３１２は、残数が更新（増加又は減少）されると、各ＶＣＤ３２に対して入力ジョブデータの更新残数を一斉に通知する。
【００２７】
これに対応して、各ＶＣＤ３２の表示部３２５は、図２に示すように、蓄積分配装置３１から通知される入力ジョブデータの残数（打鍵残通数）３２５ａをリアルタイムに表示する。
【００２８】
従来は、ＶＣＤにおいて入力残通数が表示されていなかった。従って、ＶＣＤのオペレータはあとどのくらい入力しなければならないかが分からないため、オペレータが作業を続けるための意欲を維持することが難しかった。本実施形態により、ＶＣＤで入力残通数を表示することができるので、オペレータが作業を続けるための意欲を維持することができ、オペレータの入力作業効率を向上させることができる。
【００２９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３０】
【図１】この発明の実施の形態に係る郵便物区分システム（紙葉類処理システム）の概略構成を示す図である。
【図２】図１に示す郵便物区分システムを構成するビデオコーディングディスク（入力装置）による残通数の表示例を示す図である。
【符号の説明】
【００３１】
１…郵便物区分システム（紙葉類処理システム）、２…区分機（紙葉類処理装置）、３…ビデオコーディングシステム（入力装置）、３１…蓄積分配装置、３１１…蓄積分配制御部、３１２…通信部、３１３…蓄積部、３２…ＶＣＤ、３２１…入力表示制御部、３２２…通信部、３２３…記憶部、３２４…入力受付部、３２５…表示部
【図１】
2008090531.tif 000003
【図２】
2008090531.tif 000004